(57)【要約】【課題】  容易に動作および異常状態を認識することができるプロジェクタを提供することを目的とする。【解決手段】  制御部１８は、Ｉ／Ｆ部１４が電源オフ入力操作を検出すると、光源部としてのランプ１を消灯し、冷却部としてのファン１３を記憶部２０の所定の時間に従って動作させる。さらに、制御部１８は、所定の時間の間、スピーカＲsp、Ｌspを発音させるトリガとしての発音信号を音声処理部６に送る。音声処理部６は、発音信号をトリガとしてメロディＩＣからなる音源回路８にてスピーカＲsp、Ｌspへ供給するメロディからなる音声データを生成する。スピーカＲsp、Ｌspは、所定の時間の間メロディ音を出力する。【選択図】      図１
2006053288.tif 000002
【特許請求の範囲】
【請求項１】
入力された映像信号により規定される映像を投写するプロジェクタであって、
前記映像の投写のための光を供給する光源部と、
前記光源部を冷却する冷却部と、
少なくとも前記冷却部が冷却動作を行う所定の時間に関するデータを記憶する記憶部と、
音声を出力するスピーカへ供給する音声データを生成する音声処理部と、
少なくとも電源オフの入力操作を受け付ける操作部からの操作信号により入力操作を検出するＩ／Ｆ部と、
前記プロジェクタが動作するための電力を供給する電源部と、
前記光源部と、前記冷却部と、前記記憶部と、前記音声処理部と、前記Ｉ／Ｆ部と、前記電源部の動作を制御し、計時機能を有する制御部とを備え、
前記制御部は、前記Ｉ／Ｆ部が前記電源オフ入力操作を検出すると、前記光源部を消灯し、前記冷却部を前記記憶部の前記所定の時間動作させ、前記音声処理部に、前記所定の時間の間または前記所定の時間に達したときに前記スピーカを発音させるトリガとしての発音信号を送ることを特徴とするプロジェクタ。
【請求項２】
さらに、前記光源部の蓋の開放を検出する開放検出部を備え、
前記制御部は、前記開放検出部が前記光源部の蓋の開放を検出したときに、前記光源部を消灯し、前記冷却部を前記記憶部の前記所定の時間動作させ、前記音声処理部に、前記所定の時間の間または所定の時間に達したときに前記スピーカを発音させるトリガとしての発音信号を送ることを特徴とする請求項１記載のプロジェクタ。
【請求項３】
さらに、前記光源部の温度を測定する温度測定部を備え、
前記制御部は、前記温度測定部が測定した温度が定格値を超えていることを検出すると、前記光源部を消灯し、前記冷却部を前記記憶部の前記所定の時間に従って動作させ、前記音声処理部に、前記所定の時間の間または前記所定の時間に達したときに前記スピーカを発音させるトリガとしての発音信号を送ることを特徴とする請求項１または２記載のプロジェクタ。
【請求項４】
入力された映像信号映像信号により規定される映像を投写するプロジェクタであって、
映像の投写のための光を供給する光源部と、
前記光源部の点灯状態を確認する点灯検査部と、
音声を出力するスピーカへ供給する音声データを生成する音声処理部と、
少なくとも電源オンの入力操作を受け付ける操作部からの操作信号により入力操作を検出するＩ／Ｆ部と、
前記プロジェクタが動作するための電力を供給する電源部と、
前記光源部と、前記点灯検出部と、前記音声処理部と、前記Ｉ／Ｆ部と、前記電源部の動作を制御し、計時機能を有する制御部とを備え、
前記制御部は、前記Ｉ／Ｆ部が前記電源オン入力操作を検出すると、前記光源部の点灯動作を含む起動動作を開始し、前記音声処理部に、前記点灯検査部からの検査信号により前記光源部の点灯を検出するまでの間、または前記光源部の点灯を検出したときに、前記スピーカを発音させるトリガとしての発音信号を送ることを特徴とするプロジェクタ。
【請求項５】
前記音声処理部は、前記制御部からの前記発音信号によりメロディまたは音声を規定する前記音声データを生成することを特徴とする請求項１〜４のいずれか１項記載のプロジェクタ。
【請求項６】
前記音声処理部は、前記音声データを外部出力端子へ供給することを特徴とする請求項１〜５のいずれか１項記載のプロジェクタ。
【請求項７】
さらに、前記プロジェクタの動作状態を表示する動作状態表示部を備え、
前記制御部は、前記動作状態表示部に、前記動作状態表示部を駆動するための表示信号を前記発音信号と同期させて送ることを特徴とする請求項１〜６のいずれか１項記載のプロジェクタ。
【請求項８】
入力された映像信号に応じて映像を投写するプロジェクタの制御方法であって、
少なくとも電源オフの入力操作を受け付ける操作部からの操作信号により入力操作を検出する入力操作検出工程と、
前記入力操作検出工程にて前記電源オフ入力操作を検出すると、映像の投写のための光を供給する光源部を消灯し、前記光源部を冷却する冷却部を所定の時間動作させる光源部消灯工程と、
音声を出力するスピーカへ音声データを生成して供給する音声処理部に、前記所定の時間の間または前記所定の時間に達したときに前記スピーカを発音させるトリガとしての発音信号を送る発音制御工程とを備えることを特徴とするプロジェクタの制御方法。
【発明の詳細な説明】
【技術分野】
【０００１】
本発明は、入力された映像信号により規定される映像を投写するプロジェクタに関し、特に、動作状態を報知するプロジェクタに関する。
【背景技術】
【０００２】
プロジェクタには、高圧水銀ランプや、メタルハライドランプのような高輝度を得ることが出来る放電式ランプが光源として用いられている。これらの放電式ランプは、ランプ内に封入された水銀などを蒸発させて発光するため、点灯の際には水銀が温まって完全に蒸発するまでに一定の時間が必要である。また、放電式ランプを消灯する際は、放電式ランプが発した熱による放電式ランプ自体の劣化を防ぐため、所定の時間を掛けてファンなどにより冷却する必要がある。特に、放電式ランプの消灯後の冷却動作中に、使用者が誤ってプロジェクタの電源を抜いてしまうと冷却ファンが止まり、放電式ランプが発散した熱がプロジェクタ内部にこもるため、内部温度が上昇し、放電式ランプを劣化させてしまうことがある。
【０００３】
このため、動作状態を視覚的に報知するプロジェクタが以下の特許文献１に開示されている。特許文献１のプロジェクタは、ランプ消灯後の冷却ファンが後どのくらいの時間動作するかを報知するために経過時間に応じてＬＥＤの色調を変化させる。
【０００４】
【特許文献１】特開２００３−１２１９２９号公報
【発明の開示】
【発明が解決しようとする課題】
【０００５】
しかしながら、特許文献１では、前記ＬＥＤがプロジェクタ本体に設けられているため、使用者がＬＥＤを意識的に見ていないと動作状態を知ることが困難であり、誤ってプロジェクタの動作中に電源を抜いてしまうこともあり得るという問題点を有している。特に、会議室などでは、会議室の空間を有効利用するためにプロジェクタを天井に設置して用いることが多い。この場合、使用者は、冷却ファンの動作状態を確認するのに天井に設置されているプロジェクタを意識的に見上げていなければならない。また、同様に、プロジェクタが動作および構成各部の異常を検知し、異常検出による電源オフ動作に入ったときも、視覚による報知では異常状態について十分に認識できないという問題点を有している。
【０００６】
上記課題を解決するために、本発明では、容易に動作および異常状態を認識することができるプロジェクタを提供することを目的とする。
【課題を解決するための手段】
【０００７】
前記目的を達成するために、本発明によれば、入力された映像信号により規定される映像を投写するプロジェクタであって、映像の投写のための光を供給する光源部と、光源部を冷却する冷却部と、少なくとも前記冷却部が冷却動作を行う所定の時間に関するデータを記憶する記憶部と、音声を出力するスピーカへ供給する音声データを生成する音声処理部と、少なくとも電源オフの入力操作を受け付ける操作部からの操作信号により入力操作を検出するＩ／Ｆ部と、プロジェクタが動作するための電力を供給する電源部と、光源部と、冷却部と、記憶部と、音声処理部と、Ｉ／Ｆ部と、電源部の動作を制御し、計時機能を有する制御部とを備え、制御部は、Ｉ／Ｆ部が電源オフ入力操作を検出すると、光源部を消灯し、冷却部を記憶部の所定の時間動作させ、音声処理部に、所定の時間の間または所定の時間に達したときにスピーカを発音させるトリガとしての発音信号を送ることを特徴とする。
【０００８】
この構成によれば、スピーカは、所定の時間の間または所定の時間に達したときに音声データにより発音する。所定の時間の間発音している場合、使用者は意識しなくても聴覚に入って来る音により冷却動作中であることを認識することができる。さらに、冷却動作が終了すると、発音も終わるので電源を抜いても良い状態になったことを理解することができる。また、所定の時間に達したときに発音する場合、使用者は、自然に聴覚に入って来る報知音により意識していなくても冷却動作が終了したことを認識し、電源を抜いても良い状態になったことを認識することができる。よって、従来のプロジェクタのように、ＬＥＤを意識的に見ていなくても、自然に聴覚に入って来る報知音により動作状態を把握することができる。従って、容易に動作状態を認識することができるプロジェクタを提供できる。
【０００９】
本発明のプロジェクタは、さらに、光源部の蓋の開放を検出する開放検出部を備え、制御部は、開放検出部が光源部の蓋の開放を検出したときに、光源部を消灯し、冷却部を記憶部の所定の時間動作させ、音声処理部に、所定の時間の間または所定の時間に達したときにスピーカを発音させるトリガとしての発音信号を送ることが好ましい。
【００１０】
この構成によれば、制御部は、光源部の蓋の開放を検出すると、光源部を消灯し、冷却部を所定の時間動作させる。よって、高温の光源部を素早く冷却することができる。従って、使用者が触れても安全な状態に速やかに導くことができる。また、開放検出部以外の部位は、前記電源オフ動作時の冷却動作状態を音により報知するプロジェクタの音声処理部などの構成を共通に使用することができる。よって、専用の音声処理部などが不要であることから、部品点数の低減となり低コストで構成することができる。
【００１１】
本発明のプロジェクタは、さらに、光源部の温度を測定する温度測定部を備え、制御部は、温度測定部が測定した温度が定格値を超えていることを検出すると、光源部を消灯し、冷却部を記憶部の所定の時間に従って動作させ、音声処理部に、所定の時間の間または所定の時間に達したときにスピーカを発音させるトリガとしての発音信号を送ることが好ましい。
【００１２】
この構成によれば、制御部は、温度測定部が測定した光源部の温度が定格値を超えていることを検出すると、光源部を消灯し、冷却部を記憶部の所定の時間動作させる。よって、光源部の温度が定格値を超えると、それ以上温度が上昇することがないように、光源部を消灯させることができる。さらに、高温となっている光源部を冷却するために必要な所定の時間の間、光源部を冷却することができる。また、記憶部に格納されている冷却部が冷却動作を行う所定の時間は、温度測定部が測定した温度によって長さが異なっており、温度が高くなるほど冷却時間としての所定の時間が長くなるように設定されている。従って、光源部を確実に冷却することができる。また、温度測定部以外の部位は、前記電源オフ動作時の冷却動作状態を音により報知するプロジェクタの音声処理部などの構成を共通に使用することができる。よって、専用の音声処理部などが不用であることから、部品点数の低減となり低コストで構成することができる。
【００１３】
本発明のプロジェクタは、入力された映像信号映像信号により規定される映像を投写するプロジェクタであって、映像の投写のための光を供給する光源部と、光源部の点灯状態を確認する点灯検査部と、音声を出力するスピーカへ供給する音声データを生成する音声処理部と、少なくとも電源オンの入力操作を受け付ける操作部からの操作信号により入力操作を検出するＩ／Ｆ部と、プロジェクタが動作するための電力を供給する電源部と、光源部と、点灯検出部と、音声処理部と、Ｉ／Ｆ部と、電源部の動作を制御し、計時機能を有する制御部とを備え、制御部は、Ｉ／Ｆ部が電源オン入力操作を検出すると、光源部の点灯動作を含む起動動作を開始し、音声処理部に、点灯検査部からの検査信号により光源部の点灯を検出するまでの間、または光源部の点灯を検出したときに、スピーカを発音させるトリガとしての発音信号を送ることを特徴とする。
【００１４】
この構成によれば、スピーカは、光源部の点灯を検出するまでの間、または光源部の点灯を検出したときに音声データにより発音する。スピーカが光源部の点灯を検出するまでの間発音している場合、使用者は意識しなくても聴覚に入って来る音により起動動作中であることを認識することができる。さらに、光源部が点灯したことを検出すると、発音も終わるので映像投写ができる状態になったことを認識することができる。また、スピーカが光源部の点灯を検出したときに発音する場合、使用者は、起動動作が終了したことを報知する報知音により、起動動作が終了したことを認識することができる。また、起動時においては、光源部の点灯が検出されると、起動動作が終了することから光源部の点灯による投写映像により視覚的にも投写準備が整ったことを認識することができる。従って、起動時の動作状態を音で報知することにより、容易に動作状態を認識することができるプロジェクタを提供することができる。
【００１５】
本発明のプロジェクタによれば、音声処理部は、制御部からの発音信号によりメロディまたは音声を規定する前記音声データを生成することが好ましい。
【００１６】
本発明のプロジェクタは、電源オフによる終了動作、光源部の蓋開放や温度上昇による異常検出による終了動作、および起動動作における光源部の消灯および点灯動作に必要な所定の時間の間または所定の時間に達したときにスピーカを発音させる。この構成によれば、スピーカは、所定の時間の間または所定の時間に達したときに、メロディまたは音声からなる発音データにより発音する。所定の時間の間発音している場合は、例えばメロディからなる発音データにより所定の時間の間スピーカからメロディを流す。これにより、使用者は意識しなくても聴覚に入って来るメロディによりプロジェクタが動作中であることを認識することができる。また、所定の時間に達したときに発音する場合、例えば、音声からなる発音データにより「冷却動作が終了しました。電源を抜いても安全です。」と報知する。
【００１７】
これにより、使用者は、音声による報知により動作状態を理解し、電源を抜いても良い状態になったことを理解することができる。さらに、メロディおよび音声は、矩形波によるビープ音と異なり耳障りでないため自然に聞くことができる。従って、動作および異常状態をメロディまたは音声により報知することにより、容易に動作状態を認識することができるプロジェクタを提供することができる。
【００１８】
本発明のプロジェクタは、音声処理部にて生成した音声データを、外部出力端子へ供給することが好ましい。
【００１９】
この構成によれば、プロジェクタは、音声処理部にて生成した音声データを外部出力端子へ供給する。従って、内部スピーカを備えていないプロジェクタであっても、外部スピーカに接続されていれば、動作および異常状態を音により報知することができる。
【００２０】
本発明のプロジェクタは、さらに、プロジェクタの動作状態を表示する動作状態表示部を備え、制御部は、動作状態表示部に、動作状態表示部を駆動するための表示信号を発音信号と同期させて送ることが好ましい。
【００２１】
この構成によれば、動作状態表示部は、音声による報知と同期して動作状態を表示する。従って、使用者は動作状態を聴覚および視覚により確認することができる。従って、動作および異常状態を音と表示により、より確実に報知することができるプロジェクタを提供することができる。
【００２２】
本発明のプロジェクタの制御方法によれば、入力された映像信号に応じて映像を投写するプロジェクタの制御方法であって、少なくとも電源オフの入力操作を受け付ける操作部からの操作信号により入力操作を検出する入力操作検出工程と、入力操作検出工程にて前記電源オフ入力操作を検出すると、映像の投写のための光を供給する光源部を消灯し、前記光源部を冷却する冷却部を所定の時間動作させる光源部消灯工程と、音声を出力するスピーカへ音声データを生成して供給する音声処理部に、前記所定の時間の間または前記所定の時間に達したときに前記スピーカを発音させるトリガとしての発音信号を送る発音制御工程とを備えることを特徴とする。
【００２３】
この制御方法によれば、スピーカは、光源部を冷却するのに必要な所定の時間の間または所定の時間に達したときに音声データにより発音する。よって、従来のプロジェクタのように、ＬＥＤを意識的に見ていなくても、自然に聴覚に入って来る報知音により動作状態を把握することができる。従って、動作状態を音で報知することにより容易に動作および異常状態を認識することができるプロジェクタの制御方法を提供することができる。
【発明を実施するための最良の形態】
【００２４】
本発明に係るプロジェクタの実施形態について、図面を参照して説明する。なお、この実施形態により本発明が限定されるものではない。
（実施形態１）
【００２５】
図１は、実施形態１のプロジェクタの概略構成図である。プロジェクタ１００は、光源部としてのランプ１が放射した光を、赤色光、青色光、緑色光の光の３原色成分に分離し、各色光毎に各色光用液晶ライトバルブ２にて映像信号に応じて変調した後、再度合成してスクリーンＳＣに投写するいわゆる液晶３板式のプロジェクタである。ここでは、まず、プロジェクタ１００の概略構成について説明し、続いて、プロジェクタ１００の電源オフルーチンについて説明する。
【００２６】
プロジェクタ１００は、例えば、ＤＶＤプレーヤやテレビジョン受信機など、外部に設置された映像音声供給装置３から映像信号Ｖinと音声信号Ｓinを図示しない外部接続端子を経由して供給されている。以下、映像音声供給装置３としてＤＶＤプレーヤが接続されており、ＤＶＤによる映画鑑賞をしている状態について説明する。ＤＶＤプレーヤから供給される映像信号Ｖinは、アナログ映像信号であるコンポーネント信号が供給されている。映像信号Ｖinは、映像信号処理部４にてＡ／Ｄ変換され、さらに、液晶ライトバルブ２にて表示するのに適した信号とするためにスケーリングやγ補正などの処理が施され、映像信号Ｄoutとして液晶パネル駆動部５へ供給される。液晶パネル駆動部５は、液晶ライトバルブ２に映像信号Ｄoutと駆動電圧などを供給し、液晶ライトバルブ２に映像を映し出す。
【００２７】
光源部としてのランプ１は、例えば、高圧水銀ランプや、メタルハライドランプ及びハロゲンランプのような放電式ランプである。これらの放電式ランプは、高輝度が得られるもののランプ内に封入された水銀などを蒸発させて発光するため、点灯の際には水銀が温まって完全に蒸発するまでに一定の時間が必要である。また、放電式ランプを消灯する際は、放電式ランプが発した熱による放電式ランプ自体の劣化を防ぐため、やはり所定の時間を掛けてファンなどにより冷却する必要がある。ランプ駆動部９は、ランプ１を駆動することにより点灯および消灯させる。ランプ１の温度を測定する温度測定部１０は、温度センサ１１を有しており、温度センサ１１はランプ１の近傍に設置されている。冷却部としてのファン１３は、サーボモータ（図示せず）により回転し、回転により発生する空気の流れによりランプ１を空冷する。ファン駆動部１２は、ファン１３を駆動する。
【００２８】
映像信号Ｖinと同期した音声信号Ｓinは、ステレオ音声のアナログ信号であり、図示しない２ＲＣＡ端子などの外部接続端子から音声処理部６へ供給される。音声処理部６は、アンプ７、音源回路８を備えている。また、音声処理部６には、右チャンネルスピーカＲsp、左チャンネルスピーカＬsp、右チャンネル出力端子Ｒte、左チャンネル出力端子Ｌteが接続している。音声信号Ｓinは、アンプ７で増幅されてからステレオ音声データとしてスピーカＲsp、Ｌspへ供給される。スピーカＲsp、Ｌspはステレオ音声に対応しており、スピーカＲspは右チャンネル用の音声データに応じた音声を出力し、スピーカＲspは左チャンネル用の音声データに応じた音声を出力する。また、右チャンネル用の音声データおよび左チャンネル用の音声データは、スピーカＲsp、Ｌspへ供給されるとともに、右チャンネル出力端子Ｒte、左チャンネル出力端子Ｌteへも供給されている。音源回路８は、メロディ生成ＩＣまたは音声合成ＩＣから構成されており、後述する制御部１８からの発音信号によりメロディまたは音声からなる音声データを生成する。
【００２９】
動作状態表示部２１は、３つのＬＥＤを備えており、プロジェクタ１００の動作状態を表示する。３つのＬＥＤは、それぞれ赤（Ｒ）、緑（Ｇ）、橙色（Ｏ）の色調のＬＥＤである。Ｉ／Ｆ部１４は、入力操作を受け付ける操作部としてのリモコン１５からの操作信号により入力操作を受け付ける。また、操作部は、リモコン１５に限定するものではなく、例えば、プロジェクタ１００の本体に設けられたスイッチ（図示せず）であっても良いし、Ｉ／Ｆ部１４に接続したＵＳＢ（Universal Serial Bus）を経由して操作信号を送る外部に接続されたパーソナルコンピュータなどの外部機器（いずれも図示せず）を操作部と見なすこともできる。電源部１６は、外部のＡＣ電源１７からの交流電圧をプラグ（図示せず）から導き、内蔵するＡＣ／ＤＣ変換部（図示せず）にて変圧、整流および平滑するなどの処理を施すことにより安定化させた直流電圧をプロジェクタ１００の各部に供給している。
【００３０】
制御部１８は、プロジェクタ１００の動作処理ルーチンなどを記憶した記憶部２０から、Ｉ／Ｆ部１４が受け付けた操作内容に適合した動作処理ルーチンを選択し、選択した動作処理ルーチンに従ってバスラインによって接続された各部を制御する。制御部１８は、ＭＣＵ（Microcontoller Unit）から構成されており、内部にタイマーなどから成る計時部１９を備えている。
【００３１】
続いて、プロジェクタ１００の電源オフルーチンについて図１と図２を用いて説明する。図２は、プロジェクタ１００の電源オフルーチンを示したフローチャートである。プロジェクタ１００の電源オフルーチンとは、ランプ１を消灯および所定の時間冷却し、ＡＣ電源１７から電力供給を受けている入力操作待ちの待機状態に戻す処理のことである。放電式ランプであるランプ１を消灯する際に、ランプ１が発した熱がこもることによりランプ１自体の劣化を防ぐため、所定の時間を掛けてファンなどにより冷却する必要がある。所定の時間は機種によって差があるが、速い機種でも２０秒程度の冷却時間が必要である。電源オフルーチンに入る前のプロジェクタ１００は、ランプ１が点灯している動作中であり、動作中を示す動作状態表示部２１の緑色ＬＥＤ（Ｇ）が点灯している。
【００３２】
まず、ステップＳ１では、リモコン１５から電源オフの操作信号がＩ／Ｆ部１４に送られる。Ｉ／Ｆ部１４は、電源オフの操作信号により電源オフの操作入力を検出し、電源オフ操作の検出信号を制御部１８へ送る。ステップＳ２では、制御部１８は、Ｉ／Ｆ部１４からの電源オフ操作の検出信号により、記憶部２０が記憶している各種動作ルーチンの中から電源オフルーチンを選択する。ステップＳ３からは、制御部１８により、バスラインに接続された各部に対して選択された電源オフルーチンに沿ったコマンドが出され、電源オフルーチンが実行される。
【００３３】
ステップＳ３では、まず、制御部１８は、ランプ駆動部９に消灯コマンドを送りランプ１を消灯する。このとき、ファン１３は、プロジェクタ１００が動作中であるため送風によるランプ１の冷却を行っているが、ランプ１の消灯後も所定の時間の間、冷却動作を継続する。また、ここで制御部１８内の計時部１９により、記憶部２０の電源オフルーチンに含まれているファン１３が冷却動作を行う所定の時間の計測が始まる。さらに、制御部１８は、発音信号を音声処理部６に、表示信号を動作状態表示部２１に送る。
【００３４】
ステップＳ４では、発音信号により、音声処理部６内の音源回路８にてメロディによる音声データが生成される。音源回路８は、メロディＩＣから構成されており、複数のメロディによる音声データを生成することができる。ここでは、発音信号にメロディの選択情報が含まれているため、複数のメロディによる音声データから、電源オフ動作中であることを示すメロディを選択できる。ステップＳ５では、音源回路８で生成されたメロディによる音声データがスピーカＲsp、Ｌspと、出力端子Ｒte、Ｌteへ供給される。スピーカＲsp、Ｌspは、音声データによりメロディ音を出力する。
【００３５】
なお、ここで、メロディＩＣから構成される音源回路８が生成するメロディによる音声データはモノラル音声データでもステレオ音声データでも良い。また、音声データはスピーカＲsp、Ｌspと、出力端子Ｒte、Ｌteへ供給されているが、スピーカＬspおよび出力端子Ｌteの左チャンネルのみに供給されるようになっていても良い。また、動作状態表示部２１は、発音信号と同期して送られた表示信号により緑色のＬＥＤ（Ｇ）を動作中を示す点灯から、電源オフ動作中であることを示す点滅に切り換える。ステップＳ６では、ステップＳ３で計時を開始した所定の時間に達したかどうかの確認を行う。所定の時間に達していないときには、ステップＳ５の処理を継続する。所定の時間に達したときには、ステップＳ７に進む。
【００３６】
ステップＳ７では、制御部１８は、所定の時間に達したことからファン駆動部１２に停止コマンドを送りファン１３を停止する。さらに、音声処理部６には停止コマンドを、動作状態表示部２１には表示信号を送る。音声処理部６は、停止コマンドによりスピーカＲsp、Ｌspおよび出力端子Ｒte、Ｌteへのメロディによる音声データの供給を停止する。動作状態表示部２１は、表示信号により緑色のＬＥＤ（Ｇ）を消灯し、ＡＣ電源１７から電源供給を受けている入力操作待ちの待機状態を示す橙色のＬＥＤ（Ｏ）を点灯する。これにより、電源オフルーチンは終了し待機状態となり、ＡＣ電源１７からプラグ（図示せず）を抜いても安全な状態となる。
【００３７】
上述した通り、実施形態１によれば以下の効果が得られる。
（１）制御部１８は、Ｉ／Ｆ部１４が電源オフ入力操作を検出すると、光源部としてのランプ１を消灯し、ファン駆動部１２により冷却部としてのファン１３を記憶部２０の所定の時間動作させる。さらに、制御部１８は、所定の時間の間、スピーカを発音させるトリガとしての発音信号を音声処理部６に送る。音声処理部６は、発音信号をトリガとしてメロディＩＣからなる音源回路８にてスピーカへ供給するメロディからなる音声データを生成する。
【００３８】
これにより、スピーカＲsp、Ｌspは、所定の時間の間メロディ音を出力する。メロディは所定の時間の間発音しているため、使用者は意識しなくても聴覚に入って来るメロディにより冷却動作中であることを認識することができる。さらに、冷却動作が終了すると、メロディも終わるのでＡＣ電源１７からプラグ（図示せず）を抜いても良い状態になったことを理解することができる。従って、従来のプロジェクタのように、ＬＥＤを意識的に見ていなくても、動作状態を音で報知することにより容易に動作状態を認識することができるプロジェクタ１００を提供することができる。よって、例えば、プロジェクタ１００が天井に設置されている場合でも、動作状態を確認するためにプロジェクタ本体を意識的に見上げる必要はない。さらに、メロディは、矩形波によるビープ音と異なり耳障りでないため自然に聞くことができる。
【００３９】
（２）制御部１８は、動作状態表示部２１に発音信号と同期した表示信号を送る。動作状態表示部２１は、表示信号により所定の時間の間、電源オフ動作中であることを示す緑色のＬＥＤ（Ｇ）を点滅させる。さらに、所定の時間に達すると動作状態表示部２１に、待機状態を示すための表示信号を送る。動作状態表示部２１は、表示信号により緑色のＬＥＤ（Ｇ）を消灯し、待機状態を示す橙色のＬＥＤ（Ｏ）を点灯する。これにより、使用者が意識していなくても、聴覚に自然に入って来るメロディによる報知によりプロジェクタ１００の動作を認知し、その状態を確認したいときには、プロジェクタ本体に視線を向けることにより、音による報知と同期したＬＥＤの色や点滅および点灯表示により確実に動作状態を認識することができる。従って、動作状態を音と表示により、より確実に報知することができるプロジェクタ１００を提供することができる。
【００４０】
（３）音源回路８で生成されたメロディによる音声データはスピーカＲsp、Ｌspと、出力端子Ｒte、Ｌteへ供給される。この構成によれば、内部スピーカは無いが外部音声出力端子を備えているプロジェクタにおいても、音声処理部６にて生成した発音データを、外部出力端子Ｒte、Ｌteへ供給することができる。これにより、内部スピーカを備えていないプロジェクタであっても、外部スピーカに接続されていれば、動作および異常状態を音により報知することができる。
【００４１】
（４）さらに、動作状態を音で報知することにより容易に動作状態を認識できることから、例えば、プロジェクタ１００の動作中にＡＣ電源１７からプラグ（図示せず）を抜いてしまうというような使用者の誤操作を減少させることができる。
（実施形態２）
【００４２】
続いて、本発明の第２の実施形態について図面に基づいて説明する。なお、実施形態１での説明と同一の部分には同一の符号を付し重複する説明は省略する。実施形態２のプロジェクタ１００は、音声処理部６内の音源回路８が、実施形態１でのメロディＩＣの代わりに音声合成ＩＣから構成されている。これ以外の構成は実施形態１と同一である。図３は、プロジェクタ１００の温度異常処理ルーチンを示したフローチャートである。以下、プロジェクタ１００の温度異常処理ルーチンについて図１と図３を用いて説明する。
【００４３】
プロジェクタ１００の温度異常処理ルーチンとは、ランプ１の温度が何らかの理由により定格値を超えたときに、ランプ１の劣化を防ぐために、ランプ１を消灯および所定の時間冷却し、強制的に待機状態に戻す処理のことである。この場合、ランプ１を冷却する所定の時間は、検出した温度によって長さが異なっており、温度が高くなるほど冷却時間としての所定の時間が長くなるように記憶部２０に設定されている。これは、ランプ１の温度が定格値を超えて高くなっているために、常温に戻すまでに通常の冷却時間では足りないからである。
【００４４】
ランプ１が点灯し、プロジェクタ１００が動作状態にあるときに、温度測定部１０は、制御部１８からの制御コマンドに従い定期的にランプ１の温度を測定している。温度測定部１０に接続する温度センサ１１はサーミスタであり、ランプ１の近傍に設置され、ほぼ０．５秒に１回の周期で定期的にランプ１の温度を測定し、測定信号を温度検出部１０に送る。また、電源オフルーチンに入る前のプロジェクタ１００は、ランプ１が点灯した動作中であり、動作中を示す動作状態表示部の緑色ＬＥＤ（Ｇ）が点灯している。
【００４５】
ステップＳ１１では、温度測定部１０は、ほぼ０．５秒に１回の周期で定期的に送られてくる温度センサ１１からの測定信号をＡ／Ｄ変換により温度信号に変換して制御部１８に送る。ステップＳ１２では、制御部１８は、温度検出部１０からの温度信号と、記憶部２０に格納されている温度テーブルと比較し、ランプ１の温度が定格値を超えていないか検査する。ランプ１の温度が定格値以内であるときには、ステップＳ１１に戻り温度測定を継続する。ランプ１の温度が定格値を超えているときには、ステップＳ１３に進む。ステップＳ１３では、制御部１８は、温度測定部１０からの温度信号によりランプ１が異常温度となっていることを検出したため、記憶部２０が記憶している各種動作ルーチンの中から温度異常処理ルーチンを選択する。ステップＳ１４からは、制御部１８により、バスラインに接続された各部に対して選択された温度異常処理ルーチンに沿ったコマンドが出され、温度異常処理ルーチンが実行される。
【００４６】
ステップＳ１４では、まず、制御部１８は、ランプ駆動部９に消灯コマンドを送りランプ１を消灯する。このとき、冷却部としてのファン１３は、プロジェクタ１００が動作中であるため送風によるランプ１の冷却を行っているが、ランプ１の消灯後も所定の時間の間、冷却動作を継続する。また、ここで制御部１８内の計時部１９により、記憶部２０の電源オフルーチンに含まれているファン１３が冷却動作を行う所定の時間の計測が始まる。なお、前述した通り、このときの所定の時間の長さは、ランプ１の温度が高くなるほど冷却時間としての所定の時間が長くなるように設定されている。さらに、制御部１８は、表示信号を動作状態表示部２１に送る。ステップＳ１５では、動作状態表示部２１は、表示信号により緑色のＬＥＤ（Ｇ）を消灯し、温度異常による電源オフ動作中であることを示す赤色のＬＥＤ（Ｒ）を点滅させる。ステップＳ１６では、ステップＳ１４で計時を開始した所定の時間に達したかどうかの確認を行う。所定の時間に達していないときには、ステップＳ１５の赤色のＬＥＤ（Ｒ）を点滅を継続する。所定の時間に達したときには、ステップＳ１７に進む。
【００４７】
ステップＳ１７では、制御部１８は、所定の時間に達したことから音声処理部６に発音信号を、動作状態表示部２１には赤色のＬＥＤ（Ｒ）を点滅から点灯に切り換える表示信号を送る。ステップＳ１８では、発音信号により、音声処理部６内の音源回路８にて音声による音声データが生成される。音源回路８は、音声合成ＩＣから構成されており、動作および異常状態を表現する複数の音声パターンによる音声データを生成することができる。ここでは、発音信号に音声パターンの選択情報が含まれているため、複数の音声パターンによる音声データから、温度異常処理動作中であることを示す音声パターンを選択できる。温度異常処理動作中であることを示す音声パターンは、例えば、「ランプの温度異常を検出しました。電源を落します。」といった音声パターンが選択される。ステップＳ１９では、音源回路８で生成された音声パターンによる音声データがスピーカＲsp、Ｌspと、出力端子Ｒte、Ｌteへ供給される。スピーカＲsp、Ｌspは、音声データにより「ランプの温度異常を検出しました。電源を落します。」と発声する。
【００４８】
ステップＳ２０では、制御部１８は、所定の時間に達したことからファン駆動部１２に停止コマンドを送りファン１３を停止する。動作状態表示部２１は、表示信号により赤色のＬＥＤ（Ｒ）を点滅から点灯に切り換え、異常状態検出により強制終了したことを表示する。
【００４９】
上述した通り、実施形態２の構成によれば実施形態１の効果に加えて以下の効果が得られる。
【００５０】
（１）制御部１８は、温度検出部１０からの温度信号により光源部としてのランプ１の温度異常を検出すると、ランプ１を消灯し、ファン駆動部１２により冷却部としてのファン１３を記憶部２０の所定の時間に従って動作させる。さらに、制御部１８は、所定の時間に達したときに、スピーカＲsp、Ｌspを発音させるトリガとしての発音信号を音声処理部６に送る。音声処理部６は、発音信号をトリガとして音声合成ＩＣからなる音源回路８にてスピーカＲsp、Ｌspへ供給する音声パターンからなる音声データを生成する。これにより、スピーカＲsp、Ｌspは、所定の時間に達したときに「ランプの温度異常を検出しました。電源を落します。」と発声する。使用者は、言葉による異常状態の検出および処理状態の説明を聞くことができるので、プロジェクタ１００の状態を容易に認識することができる。従って、異常状態を音で報知することにより容易に異常状態を認識できるプロジェクタ１００を提供することができる。
【００５１】
（２）制御部１８は、温度検出部１０からの温度信号と、記憶部２０に格納されている温度テーブルとを比較し、ランプ１の温度が定格値を超えていないか検査する。ランプ１の温度異常を検出すると、ランプ１を消灯し、ファン駆動部１２により冷却部としてのファン１３を記憶部２０の所定の時間に従って動作させる。これにより、ランプ１の温度が定格値を超えると、それ以上温度が上昇することがないように、ランプ１を消灯させることができる。高温となっているランプ１を冷却する所定の時間は、検出した温度によって長さが異なっており、温度が高くなるほど冷却時間としての所定の時間が長くなるように記憶部２０に設定されている。従って、光源部としてのランプ１を確実に冷却することができる。
【００５２】
（３）ランプ１の温度異常を音により報知するための構成としては、温度測定部１０と、温度センサ１１以外の部位は、プロジェクタ１００の基本的な構成と同一である。従って、新たに専用の音声処理部などが不要であることから、部品点数の低減となり低コストで構成することができる。
（実施形態３）
【００５３】
続いて、本発明の第３の実施形態について図面に基づいて説明する。なお、実施形態１のプロジェクタ１００と同一の部分には同一の符号を付し重複する説明は省略する。図４は、実施形態３のプロジェクタの概略構成図である。実施形態３のプロジェクタ１１０は、実施形態２のプロジェクタ１００における温度測定部１０および温度センサ１１を備えていない。プロジェクタ１１０は、温度測定部１０および温度センサ１１の代わりに、光源部としてのランプ１の交換時に使用するランプ蓋３０およびランプ蓋３０の開放を検出する検出スイッチ３１と、検出スイッチ３１からの開放検出信号によりランプ蓋３０の開放を検出する開放検出部３２を備えている。これ以外の構成はプロジェクタ１００と同一である。図５は、プロジェクタ１１０のランプ蓋開放処理ルーチンを示したフローチャートである。以下、プロジェクタ１１０のランプ蓋開放処理ルーチンについて図４と図５を用いて説明する。
【００５４】
ランプ１は、点灯時には６００℃くらいの高温になる。プロジェクタ１１０のランプ蓋開放処理ルーチンとは、プロジェクタ１１０の動作中に、ランプ蓋３０が何らかの理由により開いてしまったときに、高温のランプ１が露出することによる危険防止のため、ランプ１を消灯および所定の時間冷却し、強制的に待機状態に戻す処理のことである。検出スイッチ３１は、メカニカルスイッチであり、ランプ蓋３０の開閉部に取り付けられている。検出スイッチ３１は、プロジェクタ１１０にＡＣ電源１７からの電力が供給されている間は、常時ランプ蓋３０の開放状態を検出している。ランプ蓋開放処理ルーチンに入る前のプロジェクタ１１０は、ランプ１が点灯した動作中であり、動作中を示す動作状態表示部の緑色ＬＥＤ（Ｇ）が点灯している。
【００５５】
ステップＳ３１では、開放検出部３２は、検出スイッチ３１の開閉信号の変化を常時監視している。ステップＳ３２では、開放検出部３２は、開閉信号の変化が無く、ランプ蓋３０が閉じたままであるときには、ステップＳ３１のランプ蓋３０の開放検出を継続する。また、開閉信号の変化により、ランプ蓋３０の開放を検出すると開放検出信号を制御部１８に送る。ステップＳ３３では、制御部１８は、開放検出信号によりランプ蓋３０の開放を検出したため、記憶部２０が記憶している各種動作ルーチンの中からランプ蓋開放処理ルーチンを選択する。ステップＳ３４からは、制御部１８により、バスラインに接続された各部に対して選択されたランプ蓋開放処理ルーチンに沿ったコマンドが出され、ランプ蓋開放処理ルーチンが実行される。
【００５６】
ステップＳ３４では、まず、制御部１８は、ランプ駆動部９に消灯コマンドを送りランプ１を消灯する。このとき、ファン１３は、プロジェクタ１１０の動作中であるため送風によるランプ１の冷却を行っているが、ランプ１の消灯後も所定の時間の間、冷却動作を継続する。また、ここで制御部１８内の計時部１９により、記憶部２０の電源オフルーチンに含まれている冷却部が冷却動作を行う所定の時間の計測が始まる。さらに、制御部１８は、音声処理部６に発音信号を、動作状態表示部２１に表示信号を送る。
【００５７】
ステップＳ３５では、発音信号により、音声処理部６内の音源回路８にて音声による音声データが生成される。音源回路８は、音声合成ＩＣから構成されており、動作および異常状態を表現する複数の音声パターンによる音声データを生成することができる。ここでは、発音信号に音声パターンの選択情報が含まれているため、複数の音声パターンによる音声データから、温度異常処理動作中であることを示す音声パターンを選択できる。温度異常処理動作中であることを示す音声パターンは、例えば、「ランプ蓋が開いています。これから電源を落します。」といった音声パターンが選択される。ステップＳ３６では、音源回路８で生成された音声パターンによる音声データがスピーカＲsp、Ｌspと、出力端子Ｒte、Ｌteへ供給される。スピーカＲsp、Ｌspは、音声データにより「ランプ蓋が開いています。これから電源を落します。」と発声する。
【００５８】
ステップＳ３７では、動作状態表示部２１は、発音信号と同期した表示信号により緑色のＬＥＤ（Ｇ）を消灯し、ランプ蓋３０の開放による電源オフ動作中であることを示す赤色のＬＥＤ（Ｒ）を点滅させる。ステップＳ３８では、ステップＳ３４で計時を開始した所定の時間に達したかどうかの確認を行う。所定の時間に達していないときには、ステップＳ３７の赤色のＬＥＤ（Ｒ）を点滅を継続する。所定の時間に達したときには、ステップＳ３９に進む。
【００５９】
ステップＳ３９では、制御部１８は、所定の時間に達したことからファン駆動部１２に停止コマンドを送りファン１３を停止する。また、動作状態表示部２１に表示信号を送る。動作状態表示部２１は、表示信号により赤色のＬＥＤ（Ｒ）を点滅から点灯に切り換え、異常状態検出により強制終了したことを表示する。なお、この状態で再起動するためには、ランプ蓋３０を閉じることが必要である。ちなみに、プロジェクタ１１０が待機状態にあるときにランプ蓋３０が開放していた場合、開放検出部３２は、検出スイッチ３１の開閉信号の変化を検出し、開放検出信号を制御部１８に送る。開放検出信号を受け取った制御部１８は、プロジェクタ１１０の起動操作入力を受け付けないように制御する。
【００６０】
上述した通り、実施形態３の構成によれば前記各実施形態の効果に加えて以下の効果が得られる。
【００６１】
（１）制御部１８は、開放検出部３２からの開放検出信号によりランプ蓋３０の開放を検出すると、ランプ１を消灯し、ファン駆動部１２により冷却部としてのファン１３を所定の時間動作させる。これにより、高温のランプ１を素早く冷却することができる。よって、使用者が触れても安全な状態を速やかに確保することができる。また、ランプ１を所定の時間冷却することから、ランプ１の劣化を防ぐこともできる。
【００６２】
（２）制御部１８は、所定の時間の間における、所定の時間が始まるときに音声処理部６に発音信号を送る。スピーカＲsp、Ｌspは、発音信号から生成された音声データにより所定の時間が始まると「ランプ蓋が開いています。これから電源を落します。」と発声する。これにより、使用者は、言葉による異常状態の検出および処理状態の説明を聞くことができるので、プロジェクタ１１０の状態を容易に認識することができる。従って、異常状態および動作状態を音声により解り易く報知するプロジェクタ１１０を提供することができる。
【００６３】
（３）ランプ蓋３０の開放異常を音により報知するための構成としては、ランプ蓋３０と、開放検出部３２と、検出スイッチ３１以外の部位は、プロジェクタ１００の基本的な構成と同一である。従って、新たに専用の音声処理部などが不要であることから、部品点数の低減となり低コストで構成することができる。
（実施形態４）
【００６４】
続いて、本発明の第４の実施形態について図面に基づいて説明する。なお、実施形態１のプロジェクタ１００と同一の部分には同一の符号を付し重複する説明は省略する。図６は、実施形態４のプロジェクタの概略構成図である。実施形態４のプロジェクタ１２０は、実施形態１のプロジェクタ１００における温度測定部１０および温度センサ１１を備えていない。プロジェクタ１２０は、温度測定部１０および温度センサ１１の代わりに、光源部としてのランプ１の点灯を検査する点灯検査部４０および光量を検知する光センサ４１を備えている。これ以外の構成はプロジェクタ１００と同一である。図６は、プロジェクタ１２０の起動ルーチンを示したフローチャートである。以下、プロジェクタ１２０の起動ルーチンについて図６と図７を用いて説明する。
【００６５】
放電式のランプ１は、高輝度が得られるもののランプ内に封入された水銀などを蒸発させて発光するため、点灯の際には水銀が温まって完全に蒸発するまでに一定の時間が必要である。プロジェクタ１２０の起動ルーチンとは、このようなランプ１の点灯動作を含めてプロジェクタ１２０を待機状態から動作状態に起動する処理のことである。光センサ４１は、フォトダイオードでありランプ１の近傍でランプ１が放射する光の一部が光センサ４１の受光面に入射するような位置に取り付けられている。光センサ４１は、ランプ１が点灯すると受光面に入射する光量に比例した光検知信号を点灯検査部４０に送る。起動ルーチンに入る前のプロジェクタ１２０は、ＡＣ電源１７から電力供給を受けている入力操作待ちの待機状態で、動作状態表示部２１の待機状態を示す橙色のＬＥＤ（Ｏ）が点灯している。
【００６６】
まず、ステップＳ４１では、操作部としてのリモコン１５から電源オンの操作信号がＩ／Ｆ部１４に送られる。Ｉ／Ｆ部１４は、電源オンの操作信号により電源オンの入力操作を検出し、検出信号を制御部１８へ送る。ステップＳ４２では、制御部１８は、Ｉ／Ｆ部１４からの電源オン入力操作の検出信号により、記憶部２０が記憶している各種動作ルーチンの中から起動ルーチンを選択する。ステップＳ４３からは、制御部１８により、バスラインに接続された各部に対して選択された起動ルーチンに沿ったコマンドが出され、起動ルーチンが実行される。
【００６７】
ステップＳ４３では、まず、制御部１８は、バスラインに接続された各部に初期化コマンドを送る。各部は、初期化コマンドに従い初期化処理を行う。さらに、制御部１８は、発音信号を音声処理部６に、表示信号を動作状態表示部２１に送る。ステップＳ４４では、発音信号により、音声処理部６内の音源回路８にてメロディによる音声データが生成される。音源回路８は、メロディＩＣから構成されており、複数のメロディによる音声データを生成することができる。ここでは、発音信号にメロディの選択情報が含まれているため、複数のメロディによる音声データから、起動中であることを示すメロディを選択できる。ステップＳ４５では、音源回路８で生成されたメロディによる音声データがスピーカＲsp、Ｌspと、出力端子Ｒte、Ｌteへ供給される。スピーカＲsp、Ｌspは、音声データによりメロディ音を出力する。また、動作状態表示部２１は、発音信号と同期して送られた表示信号により橙色のＬＥＤ（Ｏ）を消灯し、起動中であることを示す緑色のＬＥＤ（Ｇ）を点滅させる。
【００６８】
ステップＳ４６では、後述するステップＳ４７での、ランプ１の点灯動作を何回行ったかをカウントしており、ランプ１の点灯動作が４回目になると、ステップＳ５０の点灯異常処理ルーチンへ進む。ステップＳ５０の点灯異常処理ルーチンでは、動作状態表示部２１にて、点灯異常を示す赤色のＬＥＤ（Ｒ）を点滅させるなどの処理を行うが、本発明の本旨ではないので説明を省略する。ランプ１の点灯動作が４回に満たないときには、ステップＳ４７へ進む。
【００６９】
ステップＳ４７では、制御部は、ランプ駆動部９にランプ１の点灯コマンドを送る。ランプ駆動部９は、点灯コマンドに従い、図示しないイグナイタ回路によりランプ１の電極間に高周波の高電圧を印加することにより放電経路を形成するなどのランプ１の点灯動作を行う。ステップＳ４８では、点灯検査部４０は、光センサ４１からの光検知信号によりランプ１の点灯状態を検査し、検査信号を制御部１８へ送る。制御部１８は、検査信号と、記憶部２０に格納されている、点灯状態テーブルとを比較し、ランプ１の点灯状態を検出する。ランプ１が非点灯であることを検出した場合、ステップＳ４５に戻り、メロディ音の出力および緑色のＬＥＤ（Ｇ）点滅を継続する。ランプ１の点灯を検出した場合、ステップＳ４９へ進む。
【００７０】
ステップＳ４９では、制御部１８は、ランプ１が点灯したことから音声処理部６には停止コマンドを、動作状態表示部２１には表示信号を送る。音声処理部６は、停止コマンドによりスピーカＲsp、Ｌspおよび出力端子Ｒte、Ｌteへのメロディによる音声データの供給を停止する。動作状態表示部２１は、表示信号により緑色のＬＥＤ（Ｇ）を点滅から点灯に切り換え、起動処理が終了し動作状態となったことを表示する。
【００７１】
上述した通り、実施形態４の構成によれば前記各実施形態の効果に加えて以下の効果が得られる。
【００７２】
（１）制御部１８は、Ｉ／Ｆ部１４が電源オン入力操作を検出すると、ランプ１の点灯動作を含む起動動作を開始する、さらに、音声処理部６に、点灯検査部４０からの検査信号によりランプ１の点灯を検出するまでの間、スピーカＲsp、Ｌspを発音させるトリガとしての発音信号を送る。音声処理部６は、発音信号をトリガとしてスピーカへ供給するメロディからなる音声データを生成する。これにより、スピーカＲsp、Ｌspは、所定の時間の間メロディを出力する。使用者は意識しなくても聴覚に入って来るメロディによりプロジェクタ１２０が起動中であることを認識することができる。さらに、ランプ１が点灯したことを検出すると、メロディも終わるので映像投写ができる状態になったことが解る。従って、起動時の動作状態を音で報知することにより容易に動作状態を認識できるプロジェクタ１２０を提供することができる。
【００７３】
なお、本発明は上述した各実施形態に限定されず、上述した各実施形態に種々の変更や改良などを加えることが可能である。変形例を以下に述べる。
【００７４】
（変形例１）図６と、図７を用いて説明する。前記各実施形態の音声処理部６は、メロディＩＣまたは音声合成ＩＣからなる音源回路８を備えているが、音源回路８を備えることに限定するものではない。例えば、音源回路８の代わりに、制御部１８の分周回路（図示せず）と、記憶部２０内にビープ音の複数のパターンを格納し、これにより、音声データを生成することもできる。まず、制御部１８の分周回路（図示せず）にて、制御部１８の動作クロックを分周することにより人間が聞き取り易い周波数、例えば４ｋHzを生成する。記憶部２０内には、制御部１８で生成した４ｋHzの周波数を断続させる複数のパターンが格納されている。
【００７５】
複数のパターンは、例えば、実施形態４における起動ルーチンでのランプ１の点灯待ちのときには、「ピッ、ピッ、ピッ・・・」というパターンが選択され、「ピッ」の時間を１００ms、「ピッ」と、「ピッ」の間隔を２ｓで発音する。このパターン音がメロディの代わりにステップＳ４８でランプ１が点灯するまで発音される。また、実施形態３におけるランプの蓋開放処理ルーチンのときには、「ピー、ピー、ピー、ピー、ピー、ピー、ピー、ピー」というパターンが選択され、「ピー」の時間を２ｓ、「ピー」と、「ピー」の間隔を２ｓで発音する。このパターン音が図５のステップＳ３５の所定の時間の間における、所定の時間が始まるときに音声の代わりに発音される。このように、記憶部２０にプロジェクタの動作および異常状態に応じた複数のビープ音パターンを格納しておくことにより、音源回路８がなくても、ビープ音によりプロジェクタの動作および異常状態を報知することができる。
【００７６】
（変形例２）図１を用いて説明する。前記各実施形態のプロジェクタは、外部からの音声信号Ｓinを音声処理部６で受け付け、アンプ７による増幅などの処理をしてからスピーカＲsp、Ｌspまたは、外部出力端子Ｒte、Ｒteへ出力する構成となっているが、この構成に限定するものではない。例えば、外部からの音声信号Ｓinを受け付ける構成がなく、さらに、出力するスピーカおよび外部出力端子も持たないプロジェクタに本発明を適応させることもできる。この場合、音声処理部６の代わりにビープ音による音声データを出力する報知部をバスラインに接続し、報知部には、圧電ブザーを接続する。報知部には、変形例１で説明したビープ音パターン信号を制御部１８から供給する。報知部は、ビープ音パターン信号をそのまま圧電ブザーに供給する。また、ビープ音の音圧を高めるために、報知部内部に、汎用トランジスタと昇圧用コイル各１ヶからなる昇圧回路を加える構成としても良い。
【００７７】
これにより、音声入力および音声出力を持たないプロジェクタにおいて、ビープ音によりプロジェクタの動作および異常状態を報知することができる。また、報知部に圧電ブザーおよび昇圧回路を加えるという少数の部品による構成で、音による報知機能を簡単に追加することができる。さらに、これらの追加部品はいずれも安価に入手できるため、製造原価を抑えることができる。
【００７８】
（変形例３）前記各実施形態および各変形例において、動作状態を音で報知することにより容易に動作および異常状態を認識することができる技術は、外部に設けられたスクリーンに映像を投写する投写型のプロジェクタに限定されるものではない。起動や終動および異常状態において、所望の状態になるまでに所定の時間が必要な電子機器であれば適応できる。例えば、投写型のプロジェクタとほぼ同様な光学系を備え、同一個体内に設けられた透過型スクリーンに背面から投写画像を投写するリアプロジェクタに適用することもできる。また、前記各実施形態および各変形例のプロジェクタの光変調部は、透過型の液晶ライトバルブを用いる構成としたが、これに限定するものではない。例えば、反射型液晶表示装置や、ティルトミラーデバイスを用いる構成としても良い。
【００７９】
（変形例４）図１を用いて説明する。前記各実施形態および各変形例のプロジェクタは、外部に設置された映像音声供給装置３から映像信号Ｖinと音声信号Ｓinを供給される構成となっているが、この構成に限定されるものではない。例えば、Ｉ／Ｆ部１４に接続したＵＳＢを経由して外部に接続されたパーソナルコンピュータ（いずれも図示せず）から映像信号および音声信号を受け取る構成としても良い。また、Ｉ／Ｆ部１４に構内ネットワーク（Local Area Network）接続用の機能拡張カードを装着して、構内ネットワークに接続されたクライアントコンピュータ（いずれも図示せず）などから映像信号および音声信号を受け取る構成とすることもできる。この場合、構内ネットワークがインターネットに接続していると、インターネットに接続されたサーバーコンピュータ（図示せず）などからも映像信号および音声信号を受け取ることができる。
【００８０】
前記各実施形態および各変形例から把握できる請求項に記載されている内容以外の技術的思想について、以下にその効果とともに記載する。
【００８１】
入力された映像信号により規定される映像を投写するプロジェクタの制御方法であって、入力操作を受け付ける操作部からの操作信号により入力操作を検出する入力操作検出工程と、前記入力操作検出工程にて電源オフ入力を検出すると、映像の投写のための光を供給する光源部を消灯し、前記光源部を冷却する冷却部を所定の時間動作させる光源部消灯工程と、音声を出力するスピーカへ音声データを生成して供給する音声処理部に、前記所定の時間が始まるときに前記スピーカを発音させるトリガとしての発音信号を送る発音制御工程とを備えることを特徴とするプロジェクタの制御方法。
【００８２】
この制御方法によれば、入力操作検出工程では、操作部からの操作信号により入力操作を検出する。光源部消灯工程では、入力操作検出工程にて電源オフ入力を検出すると、光源部を消灯し、光源部を冷却する冷却部を所定の時間動作させる。発音制御工程では、音声処理部に、所定の時間が始まるときにスピーカを発音させるトリガとしての発音信号を送る。これにより、スピーカは、光源部を冷却するのに必要な所定の時間が始まるときに音声データにより発音する。従って、動作状態を音で報知することにより容易に動作および異常状態を認識できるプロジェクタの制御方法を提供することができる。
【図面の簡単な説明】
【００８３】
【図１】実施形態１のプロジェクタの概略構成図。
【図２】電源オフルーチンのフローチャート。
【図３】温度異常処理ルーチンのフローチャート。
【図４】実施形態３のプロジェクタの概略構成図。
【図５】ランプ蓋開放処理ルーチンのフローチャート。
【図６】実施形態４のプロジェクタの概略構成図。
【図７】起動ルーチンのフローチャート。
【符号の説明】
【００８４】
１…光源部としてのランプ、２…液晶ライトバルブ、３…映像音声供給装置、４…映像信号処理部、５…液晶パネル駆動部、６…音声処理部、７…アンプ、８…音源回路、９…ランプ駆動部、１０…温度測定部、１１…温度センサ、１２…ファン駆動部、１３…冷却部としてのファン、１４…Ｉ／Ｆ部、１５…操作部としてのリモコン、１６…電源部、１７…ＡＣ電源、１８…制御部、１９…計時部、Ｖin、Ｄout…映像信号、Ｓin…音声信号、Ｒsp…右スピーカ、Ｌsp…左スピーカ、Ｒte…右チャンネル出力端子、Ｌte…左チャンネル出力端子、ＳＣ…スクリーン。
【図１】
2006053288.tif 000003
【図２】
2006053288.tif 000004
【図３】
2006053288.tif 000005
【図４】
2006053288.tif 000006
【図５】
2006053288.tif 000007
【図６】
2006053288.tif 000008
【図７】
2006053288.tif 000009